(57)【要約】【課題】ＡＣＢが発動される場合であっても、ＭＭＴＥＬデータをＡＣＢの規制制御の対象外にするこによって、二重規制の回避やＭＭＴＥＬデータの優先制御が可能な移動局を提供することを目的とする。【解決手段】本発明の一形態による移動局は、規制制御の対象でないサービス種別を示す規制制御対象外情報を受信する受信部と、サービス開始を非アクセス層レイヤに通知するアプリケーション部と、前記アプリケーション部からのサービス開始の通知に基づいてサービス要求を生成し、アクセス層レイヤに対してコネクションの確立を促すコネクション管理部と、前記サービス要求及び前記規制制御対象外情報のうち少なくとも１つに基づいて、アクセス層レイヤでの規制制御を実施するか否かを判断する判断部とを有する。【選択図】図２
2016005089.tif 000002
【特許請求の範囲】
【請求項１】
基地局から、規制制御の対象でないサービス種別を示す規制制御対象外情報を受信する受信部と、
サービス開始を非アクセス層レイヤに通知するアプリケーション部と、
前記アプリケーション部からのサービス開始の通知に基づいてサービス要求を生成し、アクセス層レイヤに対してコネクションの確立を促すコネクション管理部と、
前記サービス要求及び前記規制制御対象外情報のうち少なくとも１つに基づいて、アクセス層レイヤでの規制制御を実施するか否かを判断する判断部と、
を有する移動局。
【請求項２】
前記受信部は、前記アプリケーション部に対して前記規制制御対象外情報を通知し、
前記アプリケーション部は、前記規制制御対象外情報に基づいて、当該アプリケーション部のサービスが規制制御の対象でないと判断した場合、規制制御の対象外となることを示すインジケーションを含むサービス開始の通知を生成し、
前記コネクション管理部は、前記サービス開始の通知に基づいて、サービス要求の際にアクセス層レイヤに対して規制制御の対象外となることを通知し、
前記判断部は、前記コネクション管理部からのサービス要求の際の通知に基づいて、アクセス層レイヤでの規制制御を実施しない、請求項１に記載の移動局。
【請求項３】
前記アプリケーション部は、当該アプリケーション部のサービス種別を示すサービス開始の通知を生成し、
前記コネクション管理部は、前記サービス開始の通知に基づいて、サービス要求の際にアクセス層レイヤに対して前記アプリケーション部のサービス種別を通知し、
前記判断部は、前記コネクション管理部からサービス要求の際に通知されたサービス種別と、前記規制制御対象外情報とを比較し、アクセス層レイヤでの規制制御を実施するか否かを判断する、請求項１に記載の移動局。
【請求項４】
前記コネクション管理部は、アクセス層レイヤから規制が実施されていることを示す通知を受信した場合であっても、前記アプリケーション部からの前記サービス開始の通知に基づいて、アクセス層レイヤに対してコネクションの確立を促す、請求項１乃至３のうちいずれか１項に記載の移動局。
【請求項５】
移動局における規制制御方法であって、
基地局から、規制制御の対象でないサービス種別を示す規制制御対象外情報を受信するステップと、
サービス開始を非アクセス層レイヤに通知するステップと、
前記サービス開始の通知に基づいてサービス要求を生成し、アクセス層レイヤに対してコネクションの確立を促すステップと、
前記サービス要求及び前記規制制御対象外情報のうち少なくとも１つに基づいて、アクセス層レイヤでの規制制御を実施するか否かを判断するステップと、
を有する規制制御方法。
【発明の詳細な説明】
【技術分野】
【０００１】
本発明は、移動局及び規制制御方法に関する。
【背景技術】
【０００２】
現在、携帯電話やスマートフォンの普及が拡大している。携帯電話やスマートフォンの利用の増加に伴って、移動局（ＵＥ：Ｕｓｅｒ  Ｅｑｕｉｐｍｅｎｔ）からの一斉発信によって基地局（ｅＮＢ：ｅｖｏｌｖｅｄ  ＮｏｄｅＢ）やコアネットワークにおけるリソースが逼迫し、輻輳状態を生じさせるおそれがある。このため、ＬＴＥ（Ｌｏｎｇ  Ｔｅｒｍ  Ｅｖｏｌｕｔｉｏｎ）ネットワークでは、移動局からのアクセス要求を規制するための規制制御が導入されている。
【０００３】
典型的な規制制御では、基地局に在圏する全ての移動局に対してアクセスクラス（ＡＣ：Ａｃｃｅｓｓ  Ｃｌａｓｓ）が割り当てられ、当該アクセスクラスに基づき移動局からの接続要求の発信が制御される。例えば、基地局は、規制制御の対象となるアクセスクラスと規制制御パラメータ（規制率や規制時間など）とを報知情報（ＳＩＢ２：Ｓｙｓｔｅｍ  Ｉｎｆｏｒｍａｔｉｏｎ  Ｂｌｏｃｋ  ２）として移動局に送信する。当該報知情報を受信すると、移動局は、自らが規制制御の対象であるか判断し、規制制御の対象である場合、基地局に対してコネクションの要求をやめる（非特許文献１参照）。
【０００４】
３ＧＰＰ（Ｔｈｅ  ３ｒｄ  Ｇｅｎｅｒａｔｉｏｎ  Ｐａｒｔｎｅｒｓｈｉｐ  Ｐｒｏｊｅｃｔ）では、ＡＣＢ（Ａｃｃｅｓｓ  Ｃｌａｓｓ  Ｂａｒｒｉｎｇ）、ＳＳＡＣ（Ｓｅｒｖｉｃｅ  Ｓｐｅｃｉｆｉｃ  Ａｃｃｅｓｓ  Ｃｏｎｔｒｏｌ）、ＡＣＢ  ｆｏｒ  ＣＳＦＢ、ＥＡＢ（Ｅｘｔｅｎｄｅｄ  Ａｃｃｅｓｓ  Ｂａｒｒｉｎｇ）という４つの規制制御が規定されている。ＡＣＢは、全データパケット呼を対象にした規制制御であり、無線（ｅＮＢ）やＭＭＥ（Ｍｏｂｉｌｉｔｙ  Ｍａｎａｇｅｍｅｎｔ  Ｅｎｔｉｔｙ）のリソースの輻輳を軽減するために発動される。ＳＳＡＣは、ＭＭＴＥＬ  Ｖｏｉｃｅ（ＶｏＬＴＥ：Ｖｏｉｃｅ  ｏｖｅｒ  ＬＴＥ）、ＭＭＴＥＬ  Ｖｉｄｅｏを対象にした規制制御であり、無線（ｅＮＢ）やＩＭＳ（ＩＰ  Ｍｕｌｔｉｍｅｄｉａ  Ｓｕｂｓｙｓｔｅｍ）ノードのリソースの輻輳を軽減するために発動される。ＡＣＢ  ｆｏｒ  ＣＳＦＢは、ＣＳＦＢ（Ｃｉｒｃｕｉｔ  Ｓｗｉｔｃｈｅｄ  Ｆａｌｌｂａｃｋ）呼を対象にした規制制御であり、ＣＳＦＢ呼による無線（ｅＮＢ）のリソースの輻輳を軽減するために発動される。ＥＡＢは、ＭＴＣ（Ｍａｃｈｉｎｅ  Ｔｙｐｅ  Ｃｏｍｍｕｎｉｃａｔｉｏｎ）端末を対象にした規制制御であり、ＭＴＣ端末による無線（ｅＮＢ）のリソースの輻輳を軽減するために発動される。
【０００５】
３ＧＰＰにおいて規定されている規制制御のうち、ＳＳＡＣ以外の規制制御はＡＳ（Ａｃｃｅｓｓ  Ｓｔｒａｔｕｍ）レイヤで実施され、ＳＳＡＣはＩＭＳレイヤで実施される。ＡＳレイヤは、基地局と移動局との間のプロトコルスタックにおける機能レイヤを示し、アクセス層レイヤとも呼ばれる。なお、ＡＳレイヤに対してＮＡＳ（Ｎｏｎ−Ａｃｃｅｓｓ  Ｓｔｒａｔｕｍ）レイヤが存在する。ＮＡＳレイヤはコアネットワークと移動局との間のプロトコルスタックにおける機能レイヤを示し、非アクセス層レイヤとも呼ばれる。ＩＭＳレイヤは、映像や音声などのアプリケーションをＩＰ（Ｉｎｔｅｒｎｅｔ  Ｐｒｏｔｏｃｏｌ）ネットワーク上で提供できるようにするための仕組みを示し、ＭＭＴＥＬ（Ｍｕｌｔｉｍｅｄｉａ  Ｔｅｌｅｐｈｏｎｙ）レイヤ又はアプリケーションレイヤに相当する。
【先行技術文献】
【非特許文献】
【０００６】
【非特許文献１】３ＧＰＰ  ＴＳ  ３６．３３１  Ｖ１２．１．０  （２０１４−０３）
【発明の概要】
【発明が解決しようとする課題】
【０００７】
パケットデータには、ベストエフォート型パケット（ウェブ・ブラウジング等）、ＭＭＴＥＬデータ（ＭＭＴＥＬ  Ｖｏｉｃｅ、ＭＭＴＥＬ  Ｖｉｄｅｏ等）、ＩＭＳサービスパケット（ＳＭＳ（Ｓｈｏｒｔ  Ｍｅｓｓａｇｅ  Ｓｅｒｖｉｃｅ）、ＲＣＳ（Ｒｉｃｈ  Ｃｏｍｍｕｎｉｃａｔｉｏｎ  Ｓｕｉｔｅ）等）、災害伝言板パケット等のように、様々なサービスのパケットが含まれる。このうち、一般のパケットデータはＡＣＢによる規制制御の対象になり、ＭＭＴＥＬデータはＳＳＡＣによる規制制御の対象になる。
【０００８】
図１は、移動局における規制制御を示す概略図である。上記のように、ＡＣＢは、基地局から受信した報知情報に基づきＡＳレイヤで実施される。一方、ＳＳＡＣは、ＡＳレイヤで報知情報から規制制御パラメータを取得してＩＭＳ（ＭＭＴＥＬ）レイヤに渡すことにより、ＩＭＳ（ＭＭＴＥＬ）レイヤで実施される。
【０００９】
ＡＣＢは全データパケット呼を対象にした規制制御であるため、ＭＭＴＥＬデータもＡＣＢによる規制制御の対象になる。このように、ＡＣＢとＳＳＡＣとの双方が発動されている場合、移動局において、ＭＭＴＥＬデータに対してＩＭＳレイヤでＳＳＡＣが実施され、ＡＳレイヤでＡＣＢが実施される。すなわち、ＭＭＴＥＬデータに対してＡＣＢとＳＳＡＣによる二重規制が行われる。
【００１０】
また、ＳＳＡＣが発動されていないがＡＣＢが発動された場合にも、ＭＭＴＥＬデータに対してＡＣＢによる規制が行われ、ＭＭＴＥＬデータを優先して接続することができない。例えば、花火大会のイベントにおいて、電子メールやＳＭＳのようなパケットの規制制御を実施し、ＭＭＴＥＬ  Ｖｏｉｃｅを優先して接続することは不可能である。
【００１１】
上記のように、現状では、ＡＣＢが発動された場合、ＳＳＡＣが発動されている場合のＭＭＴＥＬデータに対する二重規制の問題や、ＳＳＡＣが発動されていなくてもＭＭＴＥＬデータ（一般のパケットデータとは別扱いで）を優先して接続することができない問題があり、ネットワークの輻輳状態に応じてＭＭＴＥＬデータを優先することはできない。
【００１２】
本発明は、ＡＣＢが発動される場合であっても、ＭＭＴＥＬデータをＡＣＢの規制制御の対象外にすることによって、二重規制の回避やＭＭＴＥＬデータの優先制御が可能な移動局を提供することを目的とする。
【課題を解決するための手段】
【００１３】
本発明の一形態による移動局は、
基地局から、規制制御の対象でないサービス種別を示す規制制御対象外情報を受信する受信部と、
サービス開始を非アクセス層レイヤに通知するアプリケーション部と、
前記アプリケーション部からのサービス開始の通知に基づいてサービス要求を生成し、アクセス層レイヤに対してコネクションの確立を促すコネクション管理部と、
前記サービス要求及び前記規制制御対象外情報のうち少なくとも１つに基づいて、アクセス層レイヤでの規制制御を実施するか否かを判断する判断部と、
を有することを特徴とする。
【００１４】
また、本発明の一形態による規制制御方法は、
移動局における規制制御方法であって、
基地局から、規制制御の対象でないサービス種別を示す規制制御対象外情報を受信するステップと、
サービス開始を非アクセス層レイヤに通知するステップと、
前記サービス開始の通知に基づいてサービス要求を生成し、アクセス層レイヤに対してコネクションの確立を促すステップと、
前記サービス要求及び前記規制制御対象外情報のうち少なくとも１つに基づいて、アクセス層レイヤでの規制制御を実施するか否かを判断するステップと、
を有することを特徴とする。
【発明の効果】
【００１５】
本発明によれば、移動局の規制制御において、ＡＣＢが発動されている場合であっても、ＭＭＴＥＬデータをＡＣＢの規制制御の対象外にすることによって、二重規制を回避やＭＭＴＥＬデータの優先制御を実現することが可能になる。
【図面の簡単な説明】
【００１６】
【図１】移動局における規制制御を示す概略図
【図２】本発明の実施例に係る移動局の構成図
【図３】本発明の実施例に係る移動局における規制制御方法のフローチャート
【発明を実施するための形態】
【００１７】
以下、本発明の実施例について図面を参照して説明する。
【００１８】
本発明の実施例では、移動局における規制制御について説明する。移動局は、基地局からＡＣＢ及びＳＳＡＣの規制制御パラメータを受信する。移動局は、ＡＣＢのみの規制制御パラメータを受信してもよく、ＳＳＡＣのみの規制制御パラメータを受信してもよく、ＡＣＢとＳＳＡＣとの双方の規制制御パラメータを受信してもよい。上記のように、ＡＣＢは、アクセス層レイヤ（ＡＳレイヤ）で実施される規制制御であり、ＳＳＡＣは、アプリケーションレイヤ（ＩＭＳレイヤ）で実施される規制制御である。
【００１９】
移動局がＡＣＢとＳＳＡＣとの双方の規制制御パラメータを受信した場合、上記のようにＭＭＴＥＬデータに対する二重規制の問題がある。また、移動局がＡＣＢのみの規制制御パラメータを受信した場合、ＭＭＴＥＬデータに対する優先制御の問題がある。このような二重規制の回避及びＭＭＴＥＬデータに対する優先制御のため、移動局は、基地局からＡＣＢを実施しないサービス種別を示すＡＣＢ  ｓｋｉｐ  ｂｉｔを受信する。すなわち、ＡＣＢ  ｓｋｉｐ  ｂｉｔとは、規制制御の対象でないサービス種別を示す規制制御対象外情報である。
【００２０】
移動局は、ＡＣＢ  ｓｋｉｐ  ｂｉｔにより規制制御の対象でないサービスに対してＡＣＢを実施しない。具体的な手法として、アプリケーションレイヤ（ＩＭＳレイヤ）でＡＣＢの対象外のサービスを判断する手法と、アクセス層レイヤ（ＡＳレイヤ）でＡＣＢの対象外のサービスを判断する手法とが存在する。
【００２１】
以下の実施例では、このようなアクセス層レイヤでの規制制御の対象外のサービスを実現するための移動局の構成及び動作について説明する。
【００２２】
＜移動局の構成及び動作＞
図２は、本発明の実施例に係る移動局の構成図である。本発明の実施例に係る移動局１０は、受信部１０１と、アプリケーション部１０３と、コネクション管理部１０５と、規制制御判断部１０７とを有する。受信部１０１及び規制制御判断部１０７は、アクセス層レイヤ（ＡＳレイヤ）の機能部である。より具体的には、受信部１０１及び規制制御判断部１０７は、ＲＲＣ（Ｒａｄｉｏ  Ｒｅｓｏｕｒｃｅ  Ｃｏｎｔｒｏｌ）レイヤの機能部である。コネクション管理部１０５は、非アクセス層レイヤ（ＮＡＳレイヤ）の機能部である。アプリケーション部１０３は、アプリケーションレイヤの機能部である。より具体的には、アプリケーション部１０３は、ＩＭＳレイヤ（ＭＭＴＥＬレイヤ）の機能部である。
【００２３】
受信部１０１は、基地局から規制制御に関する報知情報を受信する。報知情報には、ＩＭＳレイヤで実施されるＳＳＡＣの規制制御パラメータと、ＡＳレイヤで実施されるＡＣＢの規制制御パラメータとのうち少なくとも１つが含まれてもよい。また、受信部１０１は、ＡＣＢを実施しないサービス種別を示すＡＣＢ  ｓｋｉｐ  ｂｉｔを受信する。ＡＣＢ  ｓｋｉｐ  ｂｉｔは、サービス種別毎に、ＡＣＢを実施するか否かを示すビット（例えば、"１"＝ＡＣＢを実施しない、"０"＝ＡＣＢを実施する）で構成される。例えば、ＭＭＴＥＬ  Ｖｏｉｃｅに対してＡＣＢを実施せず、ＭＭＴＥＬ  Ｖｉｄｅｏに対してＡＣＢを実施し、ＳＭＳに対してＡＣＢを実施する場合、ＡＣＢ  ｓｋｉｐ  ｂｉｔは"１００"となってもよい。
【００２４】
受信部１０１は、ＳＳＡＣの規制制御パラメータを受信した場合、ＳＳＡＣの規制制御パラメータをアプリケーション部１０３に通知する。また、受信部１０１は、ＩＭＳレイヤでＡＣＢを実施しないサービスを判断するため、アプリケーション部１０３にＡＣＢ  ｓｋｉｐ  ｂｉｔの内容を通知してもよい。
【００２５】
アプリケーション部１０３は、受信部１０１からＳＳＡＣの規制制御パラメータを通知された場合、ＩＭＳレイヤにおいて規制制御を実施し、規制制御の対象でない場合、ＩＭＳサービスを開始する。また、アプリケーション部１０３は、受信部１０１からＳＳＡＣの規制制御パラメータを通知されていない場合には、ＩＭＳレイヤにおいて規制制御を実施せず、ＩＭＳサービスを開始する。ＩＭＳサービスの開始及び終了は、ＳＴＡＲＴ  ｉｎｄｉｃａｔｉｏｎ及びＳＴＯＰ  ｉｎｄｉｃａｔｉｏｎによりＮＡＳレイヤに通知される。
【００２６】
アプリケーション部１０３が受信部１０１からＡＣＢ  ｓｋｉｐ  ｂｉｔの内容を通知された場合、アプリケーション部１０３は、ＡＣＢ  ｓｋｉｐ  ｂｉｔの内容に基づいて、サービス開始時にＩＭＳレイヤでＡＣＢを実施しないサービスを判断し、ＡＣＢを実施しないサービスについて、ＳＴＡＲＴ  ｉｎｄｉｃａｔｉｏｎ（ｗｉｔｈｏｕｔ  ｔｙｐｅ  ｏｆ  ｃａｌｌ）を生成する。このＳＴＡＲＴ  ｉｎｄｉｃａｔｉｏｎ（ｗｉｔｈｏｕｔ  ｔｙｐｅ  ｏｆ  ｃａｌｌ）には、アプリケーション部１０３において発生したサービスの種別は含まれない。例えば、アプリケーション部１０３が受信部１０１からＭＭＴＥＬ  Ｖｏｉｃｅに対してＡＣＢを実施しないというＡＣＢ  ｓｋｉｐ  ｂｉｔの内容を通知されている状態でＭＭＴＥＬ  Ｖｏｉｃｅサービスの呼が発生した場合、アプリケーション部１０３は、ＭＭＴＥＬ  ＶｏｉｃｅをＡＣＢの規制制御の対象外であると判断し、ＳＴＡＲＴ  ｉｎｄｉｃａｔｉｏｎ（ｗｉｔｈｏｕｔ  ｔｙｐｅ  ｏｆ  ｃａｌｌ）をＮＡＳレイヤに通知する。
【００２７】
アプリケーション部１０３が受信部１０１からＡＣＢ  ｓｋｉｐ  ｂｉｔの内容を通知されていない場合、アプリケーション部１０３は、ＡＣＢの規制制御の対象外のサービスを判断しない。この場合、アプリケーション部１０３は、サービス開始時にＳＴＡＲＴ  ｉｎｄｉｃａｔｉｏｎ（ｗｉｔｈ  ｔｙｐｅ  ｏｆ  ｃａｌｌ）を生成する。"ｗｉｔｈ  ｔｙｐｅ  ｏｆ  ｃａｌｌ"には、アプリケーション部１０３において発生したサービスの種別が入れられる。
【００２８】
コネクション管理部１０５は、アプリケーション部１０３からのサービス開始の通知（ＳＴＡＲＴ  ｉｎｄｉｃａｔｉｏｎ）及びサービス終了の通知（ＳＴＯＰ  ｉｎｄｉｃａｔｉｏｎ）に基づいてサービス要求（ＮＡＳ  ｓｅｒｖｉｃｅ  ｒｅｑｕｅｓｔ）をＲＲＣレイヤに通知し、ＲＲＣレイヤに対してＲＲＣコネクションの確立を促す。通常では、ＡＣＢの規制中には、コネクション管理部１０５は、一定の期間の間にＮＡＳ  ｓｅｒｖｉｃｅ  ｒｅｑｕｅｓｔを通知しないようにＲＲＣレイヤから指示される。本発明の実施例では、ＲＴＲＣレイヤからＡＣＢの規制が実施されていることを示す通知を受信した場合であっても、コネクション管理部１０５は、その通知を無視し、ＮＡＳ  ｓｅｒｖｉｃｅ  ｒｅｑｕｅｓｔをＲＲＣレイヤに通知することができる。
【００２９】
アプリケーション部１０３が受信部１０１からＡＣＢ  ｓｋｉｐ  ｂｉｔの内容を通知され、アプリケーション部１０３がＳＴＡＲＴ  ｉｎｄｉｃａｔｉｏｎ（ｗｉｔｈｏｕｔ  ｔｙｐｅ  ｏｆ  ｃａｌｌ）をＮＡＳレイヤに通知した場合、コネクション管理部１０５は、サービス要求の際にＲＲＣレイヤに対してＡＣＢの規制制御の対象外のサービスであることを示すＡＣＢ  ｓｋｉｐ  ｉｎｄｉｃａｔｉｏｎ（ｗｉｔｈｏｕｔ  ｔｙｐｅ  ｏｆ  ｃａｌｌ）を通知する。
【００３０】
アプリケーション部１０３が受信部１０１からＡＣＢ  ｓｋｉｐ  ｂｉｔの内容を通知されず、アプリケーション部１０３がＳＴＡＲＴ  ｉｎｄｉｃａｔｉｏｎ（ｗｉｔｈ  ｔｙｐｅ  ｏｆ  ｃａｌｌ）をＮＡＳレイヤに通知した場合、コネクション管理部１０５は、ＲＲＣレイヤに対してサービス種別を示すために、サービス要求の際にＡＣＢ  ｓｋｉｐ  ｉｎｄｉｃａｔｉｏｎ（ｗｉｔｈ  ｔｙｐｅ  ｏｆ  ｃａｌｌ）を通知する。
【００３１】
なお、ＡＣＢ  ｓｋｉｐ  ｉｎｄｉｃａｔｉｏｎ（ｗｉｔｈｏｕｔ  ｔｙｐｅ  ｏｆ  ｃａｌｌ）又はＡＣＢ  ｓｋｉｐ  ｉｎｄｉｃａｔｉｏｎ（ｗｉｔｈ  ｔｙｐｅ  ｏｆ  ｃａｌｌ）は、ＮＡＳ  ｓｅｒｖｉｃｅ  ｒｅｑｕｅｓｔ内に含めて通知されてもよく、ＮＡＳ  ｓｅｒｖｉｃｅ  ｒｅｑｕｅｓｔと別に通知されてもよい。
【００３２】
規制制御判断部１０７は、ＡＣＢの規制制御パラメータに基づいて、ＲＲＣレイヤにおいて規制制御を実施し、規制制御の対象でない場合、基地局に対してコネクションを要求する。ただし、規制制御判断部１０７は、受信部１０１においてＡＣＢ  ｓｋｉｐ  ｂｉｔを受信している場合には、以下のように規制制御を実施するか否かを判断する。
【００３３】
コネクション管理部１０５からＡＣＢ  ｓｋｉｐ  ｉｎｄｉｃａｔｉｏｎ（ｗｉｔｈｏｕｔ  ｔｙｐｅ  ｏｆ  ｃａｌｌ）を通知された場合、規制制御判断部１０７は、ＮＡＳ  ｓｅｒｖｉｃｅ  ｒｅｑｕｅｓｔに対して規制制御を実施しないことを判断する。
【００３４】
コネクション管理部１０５からＡＣＢ  ｓｋｉｐ  ｉｎｄｉｃａｔｉｏｎ（ｗｉｔｈ  ｔｙｐｅ  ｏｆ  ｃａｌｌ）を通知された場合、規制制御判断部１０７は、ＡＣＢ  ｓｋｉｐ  ｂｉｔに基づいて、ＡＣＢの規制制御を実施するか否かを判断する。具体的には、規制制御判断部１０７は、ＡＣＢ  ｓｋｉｐ  ｉｎｄｉｃａｔｉｏｎのサービス種別とＡＣＢ  ｓｋｉｐ  ｂｉｔとを比較し、ＡＣＢ  ｓｋｉｐ  ｂｉｔにおいてＡＣＢの対象外のサービスに該当する場合には、ＡＣＢの規制制御を実施しない。一方、規制制御判断部１０７は、ＡＣＢ  ｓｋｉｐ  ｂｉｔにおいてＡＣＢの対象外のサービスに該当しない場合には、ＡＣＢの規制制御を実施する。
【００３５】
図３は、本発明の実施例に係る移動局における規制制御方法のフローチャートである。本発明の実施例に係る規制制御方法は、基地局からＳＳＡＣの規制制御パラメータを受信した場合にも適用可能であり、基地局からＳＳＡＣの規制制御パラメータを受信していない場合にも適用可能である。すなわち、移動局においてＩＭＳレイヤでＳＳＡＣの規制制御が実施され、ＲＲＣレイヤにおいてＡＣＢの規制制御が実施される場合にも適用可能であり、移動局においてＩＭＳレイヤでＳＳＡＣの規制制御パラメータが実施されず、ＲＲＣレイヤにおいてＡＣＢの規制制御が実施される場合にも適用可能である。
【００３６】
まず、ＲＲＣレイヤにある受信部１０１においてＡＣＢ  ｓｋｉｐ  ｂｉｔを受信した場合、受信部１０１は、ＡＣＢ  ｓｋｉｐ  ｂｉｔをＩＭＳレイヤにあるアプリケーション部１０３に通知してもよい。なお、ＲＲＣレイヤからＩＭＳレイヤへのＡＣＢ  ｓｋｉｐ  ｂｉｔの通知は任意選択の動作である。
【００３７】
アプリケーション部１０３が受信部１０１からＡＣＢ対象外のサービス種別を含むＡＣＢ  ｓｋｉｐ  ｂｉｔの内容を通知された場合（ステップＳ１０１：ＹＥＳ）、アプリケーション部１０３は、ＡＣＢ  ｓｋｉｐ  ｂｉｔの内容に基づいて、サービス開始時にＡＣＢの対象外のサービスを判断し、ＡＣＢを実施しないサービスについて、ＳＴＡＲＴ  ｉｎｄｉｃａｔｉｏｎにサービス種別を入れずにＮＡＳレイヤに通知する（ステップＳ１０３）。
【００３８】
一方、アプリケーション部１０３が受信部１０１からＡＣＢ  ｓｋｉｐ  ｂｉｔの内容を通知されていない場合（ステップＳ１０３：ＮＯ）、アプリケーション部１０３は、ＳＴＡＲＴ  ｉｎｄｉｃａｔｉｏｎにサービス種別を入れてＮＡＳレイヤに通知する（ステップＳ１０５）。
【００３９】
ＮＡＳレイヤにあるコネクション管理部１０５は、アプリケーション部１０３から通知されたＳＴＡＲＴ  ｉｎｄｉｃａｔｉｏｎにサービス種別が含まれるか否かによって異なるＡＣＢ  ｓｋｉｐ  ｉｎｄｉｃａｔｉｏｎを生成する。
【００４０】
コネクション管理部１０５は、アプリケーション部１０３から通知されたＳＴＡＲＴ  ｉｎｄｉｃａｔｉｏｎにサービス種別が含まれない場合（ステップＳ１０７：ＮＯ）、ＲＲＣレイヤに対してＡＣＢ  ｓｋｉｐ  ｉｎｄｉｃａｔｉｏｎを含むサービス要求を通知する。このＡＣＢ  ｓｋｉｐ  ｉｎｄｉｃａｔｉｏｎにはサービス種別は含まれない（ステップＳ１０９）。
【００４１】
一方、コネクション管理部１０５は、アプリケーション部１０３から通知されたＳＴＡＲＴ  ｉｎｄｉｃａｔｉｏｎにサービス種別が含まれる場合（ステップＳ１０７：ＹＥＳ）、ＲＲＣレイヤに対してＡＣＢ  ｓｋｉｐ  ｉｎｄｉｃａｔｉｏｎを含むサービス要求を通知する。このＡＣＢ  ｓｋｉｐ  ｉｎｄｉｃａｔｉｏｎにはサービス種別が含まれる（ステップＳ１１１）。
【００４２】
なお、ステップＳ１０９及びＳ１１１におけるＡＣＢ  ｓｋｉｐ  ｉｎｄｉｃａｔｉｏｎは、サービス要求（ＮＡＳ  ｓｅｒｖｉｃｅ  ｒｅｑｕｅｓｔ）に含まれず、サービス要求と別に通知されてもよい。
【００４３】
ＲＲＣレイヤにある規制制御判断部１０７は、ＡＣＢ  ｓｋｉｐ  ｉｎｄｉｃａｔｉｏｎにサービス種別が含まれるか否かによって異なる処理を実行する。
【００４４】
規制制御判断部１０７は、コネクション管理部１０５から通知されたＡＣＢ  ｓｋｉｐ  ｉｎｄｉｃａｔｉｏｎにサービス種別が含まれない場合（ステップＳ１１３：ＮＯ）、ＮＡＳ  ｓｅｒｖｉｃｅ  ｒｅｑｕｅｓｔに対して規制制御を実施しないことを判断する。
【００４５】
一方、規制制御判断部１０７は、コネクション管理部１０５から通知されたＡＣＢ  ｓｋｉｐ  ｉｎｄｉｃａｔｉｏｎにサービス種別が含まれる場合、ＡＣＢ  ｓｋｉｐ  ｉｎｄｉｃａｔｉｏｎのサービス種別とＡＣＢ  ｓｋｉｐ  ｂｉｔとを比較し、ＡＣＢの規制制御を実施するか否かを判断する。
【００４６】
このように、ＩＭＳレイヤでＡＣＢの対象外のサービスを判断してもよく（Ｓ１０３→Ｓ１０７→Ｓ１０９→Ｓ１１３→Ｓ１１５）、ＲＲＣレイヤでＡＣＢの対象外のサービスを判断してもよい（Ｓ１０５→Ｓ１０７→Ｓ１１１→Ｓ１１３→Ｓ１１７）。
【００４７】
＜本発明の実施例の効果＞
本発明の実施例によれば、移動局の規制制御において、ＩＭＳレイヤとＡＳレイヤとの二重規制の回避や、ＭＭＴＥＬデータの優先制御を実現することが可能になる。具体的には、ＩＭＳレイヤ又はＲＲＣレイヤでＡＣＢの対象のサービスであるか否かを判断することにより、ＭＭＴＥＬデータに対してＡＣＢを省略することが可能になる。このため、特定の状況において、ＭＭＴＥＬデータ（ＭＭＴＥＬ  Ｖｏｉｃｅ、ＭＭＴＥＬ  Ｖｉｄｅｏ）を優先して接続することが可能になる。
【００４８】
また、通常では、ＡＣＢの規制中に、一定の期間の間はＮＡＳレイヤからＲＲＣレイヤにＮＡＳ  ｓｅｒｖｉｃｅ  ｒｅｑｕｅｓｔを通知できないが、本発明の実施例では、ＡＣＢの規制中であっても、その規制を無視し、ＮＡＳ  ｓｅｒｖｉｃｅ  ｒｅｑｕｅｓｔを通知することが可能になる。これにより、迅速なコネクションの確立が実現可能になる。
【００４９】
説明の便宜上、本発明の実施例に係る移動局は機能的なブロック図を用いて説明しているが、本発明の実施例に係る移動局は、ハードウェア、ソフトウェアまたはそれらの組み合わせで実現されてもよい。また、各機能部が必要に応じて組み合わせて使用されてもよい。また、本発明の実施例に係る方法は、実施例に示す順序と異なる順序で実施されてもよい。
【００５０】
以上、ＩＭＳレイヤとＡＳレイヤとの二重規制を回避するための手法について説明したが、本発明は、上記の実施例に限定されることなく、特許請求の範囲内において、種々の変更・応用が可能である。
【符号の説明】
【００５１】
１０  移動局
１０１  受信部
１０３  アプリケーション部
１０５  コネクション管理部
１０７  規制制御判断部
【図１】
2016005089.tif 000003
【図２】
2016005089.tif 000004
【図３】
2016005089.tif 000005
【手続補正書】
【提出日】平成27年10月23日(2015.10.23)
【手続補正１】
【補正対象書類名】特許請求の範囲
【補正対象項目名】全文
【補正方法】変更
【補正の内容】
【特許請求の範囲】
【請求項１】
基地局から、規制制御の対象でないサービス種別を示す規制制御対象外情報を受信する受信部と、
前記受信部から前記規制制御対象外情報を通知された場合、規制制御対象外のサービスであるか否かを判断し、規制制御対象外のサービスについてはサービス種別を含まないサービス開始を非アクセス層レイヤに通知し、前記受信部から前記規制制御対象外情報を通知されていない場合、サービス種別を含むサービス開始を非アクセス層レイヤに通知するアプリケーション部と、
前記アプリケーション部からサービス種別を含まないサービス開始が通知された場合、サービス種別を含まないサービス要求を生成し、前記アプリケーション部からサービス種別を含むサービス開始が通知された場合、サービス種別を含むサービス要求を生成し、アクセス層レイヤに対してコネクションの確立を促すコネクション管理部と、
前記コネクション管理部からサービス種別を含まないサービス要求が通知された場合、アクセス層レイヤでの規制制御を実施せず、前記コネクション管理部からサービス種別を含むサービス要求が通知された場合、前記規制制御対象外情報に基づいてアクセス層レイヤでの規制制御を実施するか否かを判断する判断部と、
を有する移動局。
【請求項２】
前記コネクション管理部は、アクセス層レイヤから規制が実施されていることを示す通知を受信した場合であっても、前記アプリケーション部からの前記サービス開始の通知に基づいて、アクセス層レイヤに対してコネクションの確立を促す、請求項１項に記載の移動局。
【請求項３】
移動局における規制制御方法であって、
基地局から、規制制御の対象でないサービス種別を示す規制制御対象外情報を受信するステップと、
前記規制制御対象外情報が通知された場合、規制制御対象外のサービスであるか否かを判断し、規制制御対象外のサービスについてはサービス種別を含まないサービス開始を非アクセス層レイヤに通知し、前記規制制御対象外情報が通知されていない場合、サービス種別を含むサービス開始を非アクセス層レイヤに通知するステップと、
前記サービス種別を含まないサービス開始が通知された場合、サービス種別を含まないサービス要求を生成し、前記サービス種別を含むサービス開始が通知された場合、サービス種別を含むサービス要求を生成し、アクセス層レイヤに対してコネクションの確立を促すステップと、
前記サービス種別を含まないサービス要求が通知された場合、アクセス層レイヤでの規制制御を実施せず、前記サービス種別を含むサービス要求が通知された場合、前記規制制御対象外情報に基づいてアクセス層レイヤでの規制制御を実施するか否かを判断するステップと、
を有する規制制御方法。
【手続補正２】
【補正対象書類名】明細書
【補正対象項目名】００１３
【補正方法】変更
【補正の内容】
【００１３】
本発明の一形態による移動局は、
基地局から、規制制御の対象でないサービス種別を示す規制制御対象外情報を受信する受信部と、
前記受信部から前記規制制御対象外情報を通知された場合、規制制御対象外のサービスであるか否かを判断し、規制制御対象外のサービスについてはサービス種別を含まないサービス開始を非アクセス層レイヤに通知し、前記受信部から前記規制制御対象外情報を通知されていない場合、サービス種別を含むサービス開始を非アクセス層レイヤに通知するアプリケーション部と、
前記アプリケーション部からサービス種別を含まないサービス開始が通知された場合、サービス種別を含まないサービス要求を生成し、前記アプリケーション部からサービス種別を含むサービス開始が通知された場合、サービス種別を含むサービス要求を生成し、アクセス層レイヤに対してコネクションの確立を促すコネクション管理部と、
前記コネクション管理部からサービス種別を含まないサービス要求が通知された場合、アクセス層レイヤでの規制制御を実施せず、前記コネクション管理部からサービス種別を含むサービス要求が通知された場合、前記規制制御対象外情報に基づいてアクセス層レイヤでの規制制御を実施するか否かを判断する判断部と、
を有することを特徴とする。
【手続補正３】
【補正対象書類名】明細書
【補正対象項目名】００１４
【補正方法】変更
【補正の内容】
【００１４】
また、本発明の一形態による規制制御方法は、
移動局における規制制御方法であって、
基地局から、規制制御の対象でないサービス種別を示す規制制御対象外情報を受信するステップと、
前記規制制御対象外情報が通知された場合、規制制御対象外のサービスであるか否かを判断し、規制制御対象外のサービスについてはサービス種別を含まないサービス開始を非アクセス層レイヤに通知し、前記規制制御対象外情報が通知されていない場合、サービス種別を含むサービス開始を非アクセス層レイヤに通知するステップと、
前記サービス種別を含まないサービス開始が通知された場合、サービス種別を含まないサービス要求を生成し、前記サービス種別を含むサービス開始が通知された場合、サービス種別を含むサービス要求を生成し、アクセス層レイヤに対してコネクションの確立を促すステップと、
前記サービス種別を含まないサービス要求が通知された場合、アクセス層レイヤでの規制制御を実施せず、前記サービス種別を含むサービス要求が通知された場合、前記規制制御対象外情報に基づいてアクセス層レイヤでの規制制御を実施するか否かを判断するステップと、
を有することを特徴とする。